(57)【要約】【課題】テーブルの長脚用折り畳み金具を天板や長脚に堅固に取り付けることができ、長脚にガタツキを生じること無く安定した起立・折り畳み動作を実現する。【解決手段】  テーブル１の天板２に取り付けられる天板用部材５に天板２を支持する長脚３に取り付けられる長脚用部材６を支持軸１９により起立位置と折り畳み位置とに回動可能に軸支し、長脚用部材６をロック機構２０により起立位置と折り畳み位置とにロック可能なテーブル１の長脚用折り畳み金具４において、天板２の下面７に取り付けられる天板用部材５の天板用取付部８に天板用固定部３４を設け、長脚３の一側面１３に取り付けられる長脚用部材６の長脚用取付部１４に長脚用固定部３５を設けたことを特徴とする。【選択図】図１
2018105426.tif 000002
【特許請求の範囲】
【請求項１】
テーブルの天板に取り付けられる天板用部材に前記天板を支持する長脚に取り付けられる長脚用部材を支持軸により起立位置と折り畳み位置とに回動可能に軸支し、
前記長脚用部材をロック機構により起立位置と折り畳み位置とにロック可能なテーブルの長脚用折り畳み金具において、
前記天板の下面に取り付けられる前記天板用部材の天板用取付部に天板用固定部を設け、
前記長脚の一側面に取り付けられる前記長脚用部材の長脚用取付部に長脚用固定部を設けたことを特徴とするテーブルの長脚用折り畳み金具。
【請求項２】
前記天板用固定部は、
前記天板用取付部の長さ方向一端から長さ方向に延びて前記天板の下面に取り付けられる天板用下面固定部からなることを特徴とする請求項１に記載のテーブルの長脚用折り畳み金具。
【請求項３】
前記長脚用固定部は、
前記長脚用取付部の長さ方向一端から長さ方向と直交する方向に延びて前記長脚の端面に取り付けられる長脚用端面固定部からなることを特徴とする請求項１に記載のテーブルの長脚用折り畳み金具。
【請求項４】
前記天板用固定部は、
前記天板用取付部の長さ方向一端から幅方向両側に延びて前記天板の下面に取り付けられる前記天板用取付部よりも広幅の天板用下面固定部からなることを特徴とする請求項１に記載のテーブルの長脚用折り畳み金具。
【請求項５】
前記長脚用固定部は、
前記長脚用取付部の長さ方向一端から長さ方向と直交する方向に延びて前記長脚の端面に取り付けられる長脚用端面固定部と、
前記長脚用端面固定部の長さ方向一端から長さ方向と直交する方向に延びて前記長脚の一側面と平行な他側面に取り付けられる長脚用他側面固定部と、からなることを特徴とする請求項１に記載のテーブルの長脚用折り畳み金具。
【請求項６】
前記長脚用固定部は、
前記長脚用取付部の長さ方向一端から長さ方向と直交する方向に延びて前記長脚の端面に取り付けられる長脚用端面固定部と、
前記長脚用端面固定部の幅方向両端から幅方向と直交する方向にそれぞれ延びて前記長脚の一側面と直交する互いに平行な各側面にそれぞれ取り付けられる一対の長脚用各側面固定部と、からなることを特徴とする請求項１に記載のテーブルの長脚用折り畳み金具。
【請求項７】
前記長脚用固定部は、
前記長脚用取付部の長さ方向一端から長さ方向と直交する方向に延びて前記長脚の端面に取り付けられる長脚用端面固定部と、
前記長脚用端面固定部の長さ方向一端から長さ方向と直交する方向に延びて前記長脚の一側面と平行な他側面に取り付けられる長脚用他側面固定部と、
前記長脚用端面固定部の幅方向両端から幅方向と直交する方向にそれぞれ延びて前記長脚の一側面と直交する互いに平行な各側面にそれぞれ取り付けられる一対の長脚用各側面固定部と、からなることを特徴とする請求項１に記載のテーブルの長脚用折り畳み金具。
【発明の詳細な説明】
【技術分野】
【０００１】
この発明は、テーブルの天板を支持する長脚を折り畳み可能にするためのテーブルの長脚用折り畳み金具に関する。
【背景技術】
【０００２】
テーブルの天板を支持する脚を折り畳み可能とする金具には、例えば実用新案登録第３０５５５５７号公報に開示されるものがある。
この登録公報に開示される金具は、天板に取り付けられる上板の両側の側板と脚に取付られる背板の両側のアーム板とを重ね合わせて枢着ピンで枢着し、ロック機構で上板と背板とをロック自在に形成している。
ロック機構は、側板の周端面に沿って移動して脚の起立時と折り畳み時とに切欠部に係合する（上板に対して背板をロックする）横杆と、この横杆を背板の側に常時牽引するコイルバネと、このコイルバネの牽引力に抗して切欠部に係合した横杆の係合状態を解除する（上板に対して背板のロックを解除する）ための摘み部とを備えている。
【先行技術文献】
【特許文献】
【０００３】
【特許文献１】実用新案登録第３０５５５５７号公報
【発明の概要】
【発明が解決しようとする課題】
【０００４】
ところで、天板に脚を折り畳み金具により取り付けたテーブルでは、脚の床に当接する下端を持って上端に取り付けた金具により脚を起立・折り畳み動作させる。脚の起立・折り畳み動作時には、金具に脚の長さに応じた力のモーメントが作用する。
金具に作用する力のモーメントは、床や畳に座った状態で使用する座卓型のテーブルの短脚の起立・折り畳み動作時よりも、椅子に座った状態で使用する洋式のテーブルの長脚の起立・折り畳み動作時の方が大きくなる。
このため、折り畳み可能な長脚を備えたテーブルは、折り畳み可能な短脚を備えたテーブルに対して、金具の取り付けが緩んで長脚にガタツキを生じ易く、長脚を安定した状態で折り畳み・起立動作させることができない、という問題があった。
【０００５】
そこで、この発明は、テーブルの天板に長脚を折り畳み可能にするテーブルの長脚用折り畳み金具を天板や長脚に堅固に取り付けることができ、長脚にガタツキを生じること無く安定した起立・折り畳み動作を実現することを目的とする。
【課題を解決するための手段】
【０００６】
この発明は、上記の課題を解決するために、テーブルの天板に取り付けられる天板用部材に前記天板を支持する長脚に取り付けられる長脚用部材を支持軸により起立位置と折り畳み位置とに回動可能に軸支し、前記長脚用部材をロック機構により起立位置と折り畳み位置とにロック可能なテーブルの長脚用折り畳み金具において、前記天板の下面に取り付けられる前記天板用部材の天板用取付部に天板用固定部を設け、前記長脚の一側面に取り付けられる前記長脚用部材の長脚用取付部に長脚用固定部を設けたことを特徴とする。
【発明の効果】
【０００７】
この発明のテーブルの長脚用折り畳み金具は、天板用部材が天板用取付部に加えて天板用固定部によっても天板の下面に取り付けられるので、天板への取付面積を増やして固定強度を増大させることができ、また、長脚用部材が長脚用取付部に加えて長脚用固定部によっても長脚に取り付けられるので、長脚への取付面積を増やして固定強度を増大させることができる。
このため、この発明のテーブルの長脚用折り畳み金具は、天板や長脚に堅固に取り付けることができ、長脚にガタツキを生じること無く安定した起立・折り畳み動作を実現することができる。
【図面の簡単な説明】
【０００８】
【図１】図１（Ａ）は長脚用折り畳み金具の平面図、図１（Ｂ）は長脚用折り畳み金具の正面図、図１（Ｃ）は長脚用折り畳み金具の右側面図、図１（し）は長脚用折り畳み金具の底面図である。（実施例１）
【図２】図２（Ａ）は天板用部材の右側面図、図２（Ｂ）は天板用部材の底面図である。（実施例１）
【図３】図３（Ａ）は長脚用部材の正面図、図３（Ｂ）は長脚用部材の右側面図である。（実施例１）
【図４】図４は支持軸の斜視図である。（実施例１）
【図５】図５はロック軸の斜視図である。（実施例１）
【図６】図６は操作部の斜視図である。（実施例１）
【図７】図７は長脚を折り畳んだ状態の長脚用折り畳み金具の右側面図である。（実施例１）
【図８】図８は長脚を起立した状態の長脚用折り畳み金具の右側面図である。（実施例１）
【図９】図９（Ａ）は長脚用折り畳み金具の平面図、図９（Ｂ）は長脚用折り畳み金具の正面図、図９（Ｃ）は長脚用折り畳み金具の右側面図、図９（Ｄ）は長脚用折り畳み金具の底面図である。（実施例２）
【図１０】図１０（Ａ）は長脚用折り畳み金具の平面図、図１０（Ｂ）は長脚用折り畳み金具の正面図、図１０（Ｃ）は長脚用折り畳み金具の右側面図、図１０（Ｄ）は長脚用折り畳み金具の底面図である。（実施施例３）
【図１１】図１１（Ａ）は長脚用折り畳み金具の平面図、図１１（Ｂ）は長脚用折り畳み金具の正面図、図１１（Ｃ）は長脚用折り畳み金具の右側面図、図１１（Ｄ）は長脚用折り畳み金具の底面図である。（実施例４）
【図１２】図１２（Ａ）は長脚用折り畳み金具の平面図、図１２（Ｂ）は長脚用折り畳み金具の正面図、図１２（Ｃ）は長脚用折り畳み金具の右側面図、図１２（Ｄ）は長脚用折り畳み金具の底面図である。（実施例５）
【発明を実施するための形態】
【０００９】
以下、図面に従って発明の実施例を説明する。
【実施例１】
【００１０】
図１〜図８は、実施例１を示すものである。図１に示すように、テーブル１は、例えば、平板形状に形成された天板２と、四角棒形状に形成された長脚３とから構成される。テーブル１の天板２に長脚３を折り畳み可能にするテーブル１の長脚用折り畳み金具４は、天板２に取り付けられる天板用部材５と、天板２を支持する長脚３に取り付けられる長脚用部材６とを備えている。
天板用部材５は、図２に示すように、天板２の下面７に取り付けられる略長四角板形状の天板用取付部８を備え、天板用取付部８の幅方向両端から幅方向と直交する方向に延びる互いに平行な略半円板形状の一対の天板用側部９を備える。天板用取付部８には、長さ方向に延びる補強用の天板用突縁部１０が形成され、天板用取付孔１１が形成されている。一対の天板用側部９には、それぞれ天板用軸支孔１２が形成されている。
長脚用部材６は、図３に示すように、長脚３の一側面１３に取り付けられる略長四角板形状の長脚用取付部１４を備え、長脚用取付部１４の幅方向両端から幅方向と直交する方向に延びる互いに平行な略台形板形状の一対の長脚用側部１５を備える。長脚用取付部１４には、長さ方向に延びる補強用の長脚用突縁部１６が形成され、長脚用取付孔１７が形成されている。一対の長脚用側部１５には、それぞれ長脚用軸支孔１８が形成されている。
天板用部材５と長脚用部材６とは、一対の天板用側部９の各内面に一対の長脚用側部１５の各外面をそれぞれ重ね合わせた状態で、互いに接した一方の天板用側部９の天板用軸支孔１２と長脚用側部１５の長脚用軸支孔１８とに一対の支持軸１９（図４参照）の一方を挿通して取り付け、他方の天板用側部９の天板用軸支孔１２と長脚用側部１５の長脚用軸支孔１８とに一対の支持軸１９（図４参照）の他方を挿通して取り付けている。これにより、長脚用部材６は、天板用部材５に対して、一対の支持軸１９により長脚３の起立位置と折り畳み位置とに回動可能に軸支される。
【００１１】
長脚用折り畳み金具４は、図１に示すように、天板用部材５に対して長脚用部材６を長脚３の起立位置と折り畳み位置とにロック可能なロック機構２０を備える。ロック機構２０は、ロック軸２１（図５参照）と一対のロックばね２２｛図１（Ｂ）参照｝と操作部２３（図６参照）とから構成される。
ロック機構２０は、図３に示すように、長脚用部材６の一対の長脚用側部１５に長脚用取付部１４と平行で長脚用軸支孔１８の方向に延びる長孔２４を形成している。ロック軸２１は、図１に示すように、一対の長脚用側部１５の各長孔２４に長径方向に摺動可能に挿通され、各長孔２４の外側で一対の天板用側部９の各周面２５に沿うように突出して配置される。
天板用部材５の一対の天板用側部９の各周面２５には、図２に示すように、長脚３の起立時にロック軸２１が係合する起立係合部２６が形成され、長脚３の折り畳み時にロック軸２１が係合する折り畳み係合部２７が形成される。起立係合部２６は、ロック軸２１が離脱しないように深く形成されている。折り畳み係合部２７は、ロック軸２１を強制的に離脱可能なように、やや浅く形成されていれる。
ロック機構２０は、図３に示すように、長脚用部材６の一対の長脚用側部１５に形成した各長孔２４の延長方向の、長脚用軸支孔１８側の端部に係止部２８を形成している。一対のロックばね２２は、図１（Ｂ）に示すように、一対の長脚用側部１５の間に配置され、各一端をロック軸２１に取り付けられ、各他端を一対の長脚用側部１５の各係止部２８に取り付られる。ロック軸２１は、ロックばね２２の付勢力によって、一対の天板用側部９の起立係合部２６と折り畳み係合部２７とに係合される方向に付勢される。
ロックばね２２の付勢力によって起立係合部２６に係合されたロック軸２１は、長脚３を折り畳む方向に回転させた場合に、起立係合部２６が深く形成されているので離脱することがない。ロックばね２２の付勢力によって折り畳み係合部２７に係合されたロック軸２１は、長脚３を起立する方向に回転させた場合に、折り畳み係合部２７がやや浅く形成されているので強制的に離脱させることができる。
【００１２】
操作部２３は、図６に示すように、一対の天板用側部９の各周面２５を跨ぐように延びる連絡片２９を備え、連絡片２９の長さ方向の両端から一対の天板用側部９の各外面に沿うように延びる一対の突出片３０を備え、連絡片２９の幅方向一端から各突出片３０と反対の外側に延びるつまみ３１を備える。
一対の突出片３０は、各先端側に取付孔３２をそれぞれ形成している。一対の突出片３０の各取付孔３２には、各長孔４０を挿通して一対の天板用側部９の各外面よりも外側に突出された、ロック軸２１の両端を取り付けている。また、一対の突出片３０には、取付孔３２よりも連絡片２９側であって、天板用側部９の外面と対向する内面に、突起３３をそれぞれ形成している。一対の突起３３は、一対の天板用側部９の各周面２５に当接して支点となる。つまみ３１は、突起３３を支点としてロック軸２１を移動させる際の力点となる。
操作部２３は、長脚３を起立・折り畳みさせる際に、つまみ３１の操作によって、一対の天板用側部９の各周面２５に当接した一対の突起３３を支点として、ロックばね２２の付勢力に抗してロック軸２１を起立係合部２６・折り畳み係合部２７から離脱させる方向に移動させることができる。なお、ロック軸２１は、長脚３を起立する方向に回転させた場合に、折り畳み係合部２７がやや浅く形成されているので、つまみ３１の操作によらずに強制的に離脱させることができる。
このように、ロック機構１６は、一対の天板用側部９の各周面２５に沿って移動して起立係合部２６と折り畳み係合部２７とに係合・離脱されるロック軸２１と、ロック軸２１を起立係合部２６と折り畳み係合部２７とに係合させるように付勢するロックばね２２と、ロックばね２２の付勢力に抗してロック軸２１を起立係合部２６と折り畳み係合部２７とから脱出させて係合状態を解除する操作部２３とから構成される。
【００１３】
テーブル１の長脚用折り畳み金具４は、天板２の下面７に取り付けられる天板用部材５の天板用取付部８に天板用固定部３４を設け、長脚３の一側面１３に取り付けられる長脚用部材６の長脚用取付部１４に長脚用固定部３５を設けている。
実施例１の天板用固定部３４は、図２に示すように、天板用取付部８の長さ方向一端から長さ方向に延びて、天板２の下面７に取り付けられる天板用下面固定部３４Ａからなる。天板用下面固定部３４Ａには、天板用取付部８の天板用突縁部１０に連続して、長さ方向に延びる補強用の天板用固定突縁部３６が形成され、天板用取付孔１１と同径の天板用固定孔３７が形成されている。
また、実施例１の長脚用固定部３５は、図３に示すように、長脚用取付部１４の長さ方向一端から長さ方向と直交する方向に延びて、長脚３の端面３８に取り付けられる長脚用端面固定部３５Ａからなる。長脚用取付部１４には、長脚用端面固定部３５Ａを側面視で逆Ｌ字型にになるように設けている。
長脚用端面固定部３５Ａには、長脚用取付部１４の長脚用突縁部１６に連続して、長さ方向に延びる補強用の長脚用固定突縁部３９が形成され、長脚用取付孔１７と同径の長脚用固定孔４０及び長脚用固定孔４０よりも大径の長脚用固定大径孔４１が形成されている｛図１（Ｄ）参照｝。長脚用取付部１４には、長脚用取付孔１７に加えて、長脚用取付孔１７よりも大径の長脚用取付大径孔４２が形成されている。
【００１４】
次に作用を説明する。
テーブル１の長脚用折り畳み金具４は、図１Ｃに示すように、天板用部材５の天板用取付部８と天板用取付部８から延びる天板用下面固定部３４Ａとを天板２の下面７の取り付け位置に当て、天板用取付孔１１から小径の天板用取付ねじ４３を天板２にねじ込み、天板用固定孔３７から小径の天板用取付ねじ４３を天板２にねじ込む。
これにより、長脚用折り畳み金具４は、天板用取付部８と天板用下面固定部３４Ａとを天板２に取り付けられる。
また、長脚用折り畳み金具４は、長脚用取付部１４を長脚３の上部の一側面１３に当て、長脚用取付孔１７から小径の長脚用取付ねじ４４を長脚３にねじ込み、長脚用取付大径孔４２から大径の長脚用取付ボルト４５を長脚３にねじ込む。そして、長脚用折り畳み金具４は、長脚用端面固定部３５Ａを長脚３の上部の端面３８に当て、長脚用固定孔４０から小径の長脚用取付ねじ４４を長脚３にねじ込み、長脚用固定大径孔４１から大径の長脚用取付ボルト４５を長脚３にねじ込む。
これにより、長脚用折り畳み金具４は、長脚用取付部１４と長脚用端面固定部３５Ａとを長脚３に取り付けられる。
【００１５】
テーブル１は、折り畳み状態の長脚３を起立させる場合、図７に示す折り畳み状態の長脚３を矢印Ｓ方向（起立方向）に回転させる。長脚用折り畳み金具４は、長脚３の回転によって、浅く形成された折り畳み係合部２７に係合しているロック軸２１が、ロックばね２２の付勢力に抗して折り畳み係合部２７から強制的に離脱され、一対の天板用側部９の各周面２５に乗り上げることで、天板用部材５に対する長脚用部材６のロックが解除される。
長脚用折り畳み金具４は、長脚用部材６のロックが解除されると、長脚３の矢印Ｓ方向への回転に連れて長脚用部材６が起立位置に向かい回転し、各周面２５に摺接しながらロック軸２１が起立係合部２６に向かい移動する。長脚用折り畳み金具４は、回転する長脚用部材６が起立位置に移動すると、各周面２５を摺動するロック軸２１がロックばね２２の付勢力により、図８に示ように起立係合部２６に係合する。
これにより、長脚用折り畳み金具４は、長脚用部材６が起立位置においてロックされ、長脚３を起立状態に保持することができる。
【００１６】
テーブル１は、起立状態の長脚３を折り畳む場合、図８において、操作部２３のつまみ３１を矢印Ｒ方向（離脱方向）に操作する。長脚用折り畳み金具４は、つまみ３１の操作によって、一対の天板用側部９の各周面２５に当接した一対の突起３３を支点として、ロック軸２１がロックばね２２の付勢力に抗して起立係合部２６から離脱され、一対の天板用側部９の各周面２５に乗り上げることで、天板用部材５に対する長脚用部材６のロックが解除される。
長脚用折り畳み金具４は、長脚用部材６のロックが解除されると、長脚３を矢印Ｆ方向（折り畳み方向）へ回転させることが可能となる。長脚用折り畳み金具４は、長脚３の矢印Ｆ方向への回転に連れて長脚用部材６が折り畳み位置に向かい回転し、各周面２５に摺接しながらロック軸２１が折り畳み係合部２７に向かい移動する。長脚用折り畳み金具４は、回転する長脚用部材６が折り畳み位置に移動すると、各周面２５を摺動するロック軸２１がロックばね２２の付勢力により、図７に示ように折り畳み係合部２７に係合する。
これにより、長脚用折り畳み金具４は、長脚用部材６が折り畳み位置においてロックされ、長脚３を折り畳み状態に保持することができる。
【００１７】
このテーブル１の長脚用折り畳み金具４は、図１（Ｃ）に示すように、天板２の下面７に天板用部材５の天板用取付部８と天板用取付部８に設けた天板用下面固定部３４Ａとを小径の天板用取付ねじ４３により取り付け、また、長脚用部材６の長脚用取付部１４を長脚３の一側面１３に小径の長脚用取付ねじ４４と大径の長脚用取付ボルト４５により取り付け、長脚用取付部１４に直交する方向に設けた長脚用端面固定部３５Ａを長脚３の端面３８に小径の長脚用取付ねじ４４と大径の長脚用取付ボルト４５により取り付けている。
このように、テーブル１の長脚用折り畳み金具４は、天板用部材５が天板用取付部８に加えて天板用下面固定部３４Ａによっても天板２に取り付けられるので、天板２への取付面積を天板用取付部８の長さ方向に増やして固定強度を増大させることができ、また、長脚用部材６が長脚用取付部１４に加えて長脚用端面固定部３５Ａによっても長脚３に取り付けられるので、長脚３への取付面積を長脚用取付部１４の取付面に加えて異なる方向の長脚用端面固定部３５Ａの取付面だけ増やして固定強度を増大させることができる。
このため、このテーブル１の長脚用折り畳み金具４は、天板２や長脚３に堅固に取り付けることができ、長脚３にガタツキを生じること無く安定した起立・折り畳み動作を実現することができる。
【００１８】
また、テーブル１の長脚用折り畳み金具４は、天板用部材５を天板２に取り付けるための天板用取付部８に天板用下面固定部３４Ａを設け、天板用部材５を天板２に取り付けるための天板用取付ねじ４３の数量を増やしたので、天板用部材５の天板２への固定強度を増大させることができる。
そして、テーブル１の長脚用折り畳み金具４は、天板用取付部８に形成した天板用突縁部１０に連続する天板用固定突縁部３６を天板用下面固定部３４Ａに形成したので、天板用部材５の強度を増やして変形を防止することができる。
さらに、テーブル１の長脚用折り畳み金具４は、長脚用部材６の長脚用取付部１４に長脚用端面固定部３５Ａを逆Ｌ字型に設け、交差する２つの取付面により異なる方向から長脚用取付ねじ４４と長脚用取付ボルト４５とによって長脚３に長脚用部材６を取り付けることで、長脚３を長脚用部材６に固定する強度を増大させることができる。
さらにまた、テーブル１の長脚用折り畳み金具４は、長脚用取付部１４と長脚用端面固定部３５Ａに逆Ｌ字型に連続する長脚用突縁部１６と長脚用固定突縁部３９を形成したので、長脚用取付部１４と長脚用端面固定部３５Ａとの逆Ｌ字型に連続する部分の強度を増やして変形を防止することができる。
また、テーブル１の長脚用折り畳み金具４は、長脚３に長脚用部材６を小径の長脚用取付ねじ４４に加えて大径の長脚用取付ボルト４５で取り付けたことにより、長脚用部材６と長脚３との固定強度を増大させて堅固に取り付けることができる。
【実施例２】
【００１９】
図９は、実施例２を示すものである。実施例２のテーブル１の長脚用折り畳み金具４は、実施例１と同様に、天板用部材５と長脚用部材６とロック機構２０とを備え、天板２の下面７に取り付けられる天板用部材５の天板用取付部８に天板用固定部３４を設け、長脚３の一側面１３に取り付けられる長脚用部材６の長脚用取付部１４に長脚用固定部３５を設けている。
実施例２の天板用固定部３４は、天板用取付部８の長さ方向一端から幅方向両側に延びて、天板用取付部８よりも広幅の天板用下面固定部３４Ｂからなる。天板用下面固定部３４Ｂには、天板用取付部８の天板用突縁部１０に連続して、長さ方向に延びる補強用の天板用固定突縁部３６が形成され、天板用取付孔１１と同径で小径の天板用固定孔３７が形成されている。
また、実施例２の長脚用固定部３５は、実施例１と同様に、長脚用取付部１４の長さ方向一端から長さ方向と直交する方向に延びて、長脚３の端面３８に取り付けられる長脚用端面固定部３５Ａからなり、長脚用取付部１４に側面視で逆Ｌ字型になるように設けている。
長脚用端面固定部３５Ａには、長脚用取付部１４の長脚用突縁部１６に連続する補強用の長脚用固定突縁部３９が形成され、小径の長脚用固定孔４０及び大径の長脚用固定大径孔４１が形成されている。長脚用取付部１４には、小径の長脚用取付孔１７に加えて、大径の長脚用固定大径孔４２が形成されている。
【００２０】
実施例２のテーブル１の長脚用折り畳み金具４は、天板用部材５の天板用取付部８と天板用取付部８に設けた広幅の天板用下面固定部３４Ｂとを天板２の下面７に小径の天板用取付ねじ４３により取り付け、また、長脚用部材６の長脚用取付部１４を長脚３の一側面１３に小径の長脚用取付ねじ４４と大径の長脚用取付ボルト４５により取り付け、長脚用取付部１４に直交する方向に設けた長脚用端面固定部３５Ａを長脚３の端面３８に小径の長脚用取付ねじ４４と大径の長脚用取付ボルト４５により取り付けている。
このように、テーブル１の長脚用折り畳み金具４は、天板用部材５が天板用取付部８に加えて広幅の天板用下面固定部３４Ｂによっても天板２に取り付けられるので、天板２への取付面積を天板用取付部８の幅方向に増やして固定強度を増大させることができ、また、長脚用部材６が長脚用取付部１４に加えて長脚用端面固定部３５Ａによっても長脚３に取り付けられるので、長脚３への取付面積を長脚用取付部１４の取付面に加えて異なる方向の長脚用端面固定部３５Ａの取付面だけ増やして固定強度を増大させることができる。
このため、このテーブル１の長脚用折り畳み金具４は、天板２や長脚３に実施例１よりも堅固に取り付けることができ、長脚３にガタツキを生じること無く安定した起立・折り畳み動作を実現することができる。
【実施例３】
【００２１】
図１０は、実施例３を示すものである。実施例３のテーブル１の長脚用折り畳み金具４は、実施例１と同様に、天板用部材５と長脚用部材６とロック機構２０とを備え、天板２の下面７に取り付けられる天板用部材５の天板用取付部８に天板用固定部３４を設け、長脚３の一側面１３に取り付けられる長脚用部材６の長脚用取付部１４に長脚用固定部３５を設けている。
実施例３の天板用固定部３４は、実施例１と同様に、天板用取付部８の長さ方向一端から長さ方向に延びて、天板２の下面７に取り付けられる天板用下面固定部３４Ａからなる。天板用下面固定部３４Ａには、天板用取付部８の天板用突縁部１０に連続して、長さ方向に延びる補強用の天板用固定突縁部３６が形成され、小径の天板用固定孔３７が形成されている。
そして、実施例３の長脚用固定部３５は、長脚用取付部１４の長さ方向一端から長さ方向と直交する方向に延びて長脚３の端面３８に取り付けられる長脚用端面固定部３５Ａと、長脚用端面固定部３５Ａの長さ方向一端から長さ方向と直交する方向に延びて、長脚３の一側面１３と平行な他側面４６に取り付けられる長脚用他側面固定部３５Ｂと、からなる。長脚用取付部１４には、長脚用端面固定部３５Ａと長脚用他側面固定部３５Ｂとを側面視で逆Ｕ字型になるように設けている。
長脚用端面固定部３５Ａには、長脚用取付部１４の長脚用突縁部１６に連続して、長さ方向に延びる補強用の長脚用固定突縁部３９が形成され、小径の長脚用固定孔４０及び大径の長脚用固定大径孔４１が形成されている。長脚用他側面固定部３５Ｂには、小径の長脚用固定孔４０が形成されている。長脚用取付部１４には、小径の長脚用取付孔１７に加えて、大径の長脚用固定大径孔４２が形成されている。
【００２２】
実施例３のテーブル１の長脚用折り畳み金具４は、天板用部材５の天板用取付部８と天板用取付部８に設けた天板用下面固定部３４Ａとを天板２の下面７に小径の天板用取付ねじ４３により取り付け、また、長脚用部材６の長脚用取付部１４を長脚３の一側面１３に小径の長脚用取付ねじ４４と大径の長脚用取付ボルト４５により取り付け、長脚用取付部１４に直交する方向に設けた長脚用端面固定部３５Ａを長脚３の端面３８に小径の長脚用取付ねじ４４と大径の長脚用取付ボルト４５により取り付け、さらに、長脚用端面固定部３５Ａに直交し長脚用取付部１４に平行する長脚用他側面固定部３５Ｂを長脚３の他側面４６に小径の長脚用取付ねじ４４により取り付けている。
このように、テーブル１の長脚用折り畳み金具４は、天板用部材５が天板用取付部８に加えて天板用下面固定部３４Ａによっても天板２に取り付けられるので、天板２への取付面積を天板用取付部８の長さ方向に増やして固定強度を増大させることができ、また、長脚用部材６が長脚用取付部１４に加えて長脚用端面固定部３５Ａ及び長脚用他側面固定部３５Ｂによっても長脚３に取り付けられるので、長脚３への取付面積を長脚用取付部１４の取付面に加えて異なる方向の長脚用端面固定部３５Ａの取付面及び平行する長脚用他側面固定部３５Ｂの取付面だけ増やして固定強度を増大させることができる。
このため、このテーブル１の長脚用折り畳み金具４は、天板２や長脚３に実施例２よりも堅固に取り付けることができ、長脚３にガタツキを生じること無く安定した起立・折り畳み動作を実現することができる。
【実施例４】
【００２３】
図１１は、実施例４を示すものである。実施例４のテーブル１の長脚用折り畳み金具４は、実施例１と同様に、天板用部材５と長脚用部材６とロック機構２０とを備え、天板２の下面７に取り付けられる天板用部材５の天板用取付部８に天板用固定部３４を設け、長脚３の一側面１３に取り付けられる長脚用部材６の長脚用取付部１４に長脚用固定部３５を設けている。
実施例４の天板用固定部３４は、実施例１と同様に、天板用取付部８の長さ方向一端から長さ方向に延びて、天板２の下面７に取り付けられる天板用下面固定部３４Ａからなる。天板用下面固定部３４Ａには、天板用取付部８の天板用突縁部１０に連続して、長さ方向に延びる補強用の天板用固定突縁部３６が形成され、小径の天板用固定孔３７が形成されている。
そして、実施例４の長脚用固定部３５は、長脚用取付部１４の長さ方向一端から長さ方向と直交する方向に延びて長脚３の端面３８に取り付けられる長脚用端面固定部３５Ａと、長脚用端面固定部３５Ａの幅方向両端から幅方向と直交する方向にそれぞれ延びて、長脚３の一側面１３と直交する互いに平行な各側面４７にそれぞれ取り付けられる一対の長脚用各側面固定部３５Ｃと、からなる。長脚用取付部１４には、長脚用端面固定部３５Ａと長脚用各側面固定部３５Ｃとを正面視及び側面視で一側壁を無くした逆四角箱型になるように設けている。
長脚用端面固定部３５Ａには、長脚用取付部１４の長脚用突縁部１６に連続して、長さ方向に延びる補強用の長脚用固定突縁部３９が形成され、小径の長脚用固定孔４０及び大径の長脚用固定大径孔４１が形成されている。長脚用各側面固定部３５Ｃには、小径の長脚用固定孔４０が形成されている。長脚用取付部１４には、小径の長脚用取付孔１７に加えて、大径の長脚用固定大径孔４２が形成されている。
【００２４】
実施例４のテーブル１の長脚用折り畳み金具４は、天板用部材５の天板用取付部８と天板用取付部８に設けた天板用下面固定部３４Ａとを天板２の下面７に小径の天板用取付ねじ４３により取り付け、また、長脚用部材６の長脚用取付部１４を長脚３の一側面１３に小径の長脚用取付ねじ４４と大径の長脚用取付ボルト４５により取り付け、長脚用取付部１４に直交する方向に設けた長脚用端面固定部３５Ａを長脚３の端面３８に小径の長脚用取付ねじ４４と大径の長脚用取付ボルト４５により取り付け、さらに、長脚用端面固定部３５Ａ及び長脚用取付部１４に直交し互いに平行な長脚用各側面固定部３５Ｃを長脚３の各側面４７に小径の長脚用取付ねじ４４により取り付けている。
このように、テーブル１の長脚用折り畳み金具４は、天板用部材５が天板用取付部８に加えて天板用下面固定部３４Ａによっても天板２に取り付けられるので、天板２への取付面積を天板用取付部８の長さ方向に増やして固定強度を増大させることができ、また、長脚用部材６が長脚用取付部１４に加えて長脚用端面固定部３５Ａ及び一対の長脚用各側面固定部３５Ｃによっても長脚３に取り付けられるので、長脚３への取付面積を長脚用取付部１４の取付面に加えて異なる方向の長脚用端面固定部３５Ａの取付面及び平行する一対の長脚用各側面固定部３５Ｃの各取付面だけ増やして固定強度を増大させることができる。
このため、このテーブル１の長脚用折り畳み金具４は、天板２や長脚３に実施例３よりも堅固に取り付けることができ、長脚３にガタツキを生じること無く安定した起立・折り畳み動作を実現することができる。
【実施例５】
【００２５】
図１２は、実施例５を示すものである。実施例５のテーブル１の長脚用折り畳み金具４は、実施例１と同様に、天板用部材５と長脚用部材６とロック機構２０とを備え、天板２の下面７に取り付けられる天板用部材５の天板用取付部８に天板用固定部３４を設け、長脚３の一側面１３に取り付けられる長脚用部材６の長脚用取付部１４に長脚用固定部３５を設けている。
実施例５の天板用固定部３４は、実施例１と同様に、天板用取付部８の長さ方向一端から長さ方向に延びて、天板２の下面７に取り付けられる天板用下面固定部３４Ａからなる。天板用下面固定部３４Ａには、天板用取付部８の天板用突縁部１０に連続して、長さ方向に延びる補強用の天板用固定突縁部３６が形成され、小径の天板用固定孔３７が形成されている。
そして、実施例５の長脚用固定部３５は、長脚用取付部１４の長さ方向一端から長さ方向と直交する方向に延びて長脚３の端面３８に取り付けられる長脚用端面固定部３５Ａと、長脚用端面固定部３５Ａの長さ方向一端から長さ方向と直交する方向に延びて、長脚３の一側面１３と平行な他側面４６に取り付けられる長脚用他側面固定部３５Ｂと、長脚用端面固定部３５Ａの幅方向両端から幅方向と直交する方向にそれぞれ延びて、長脚３の一側面１３と直交する互いに平行な各側面４７にそれぞれ取り付けられる一対の長脚用各側面固定部３５と、からなる。長脚用取付部１４には、長脚用端面固定部３５Ａと長脚用他側面固定部３５Ｂと長脚用各側面固定部３５Ｃとを正面視及び側面視で逆四角箱型になるように設けている。
長脚用端面固定部３５Ａには、長脚用取付部１４の長脚用突縁部１６に連続して、長さ方向に延びる補強用の長脚用固定突縁部３９が形成され、小径の長脚用固定孔４０及び大径の長脚用固定大径孔４１が形成されている。長脚用他側面固定部３５Ｂには、小径の長脚用固定孔４０が形成されている。長脚用各側面固定部３５Ｃには、小径の長脚用固定孔４０が形成されている。長脚用取付部１４には、小径の長脚用取付孔１７に加えて、大径の長脚用固定大径孔４２が形成されている。
【００２６】
実施例５のテーブル１の長脚用折り畳み金具４は、天板用部材５の天板用取付部８と天板用取付部８に設けた天板用下面固定部３４Ａとを天板２の下面７に小径の天板用取付ねじ４３により取り付け、また、長脚用部材６の長脚用取付部１４を長脚３の一側面１３に小径の長脚用取付ねじ４４と大径の長脚用取付ボルト４５により取り付け、長脚用取付部１４に直交する方向に設けた長脚用端面固定部３５Ａを長脚３の端面３８に小径の長脚用取付ねじ４４と大径の長脚用取付ボルト４５により取り付け、長脚用端面固定部３５Ａに直交し長脚用取付部１４に平行する長脚用他側面固定部３５Ｂを長脚３の他側面４６に小径の長脚用取付ねじ４４により取り付け、さらに、長脚用端面固定部３５Ａ及び長脚用取付部１４に直交し互いに平行な長脚用各側面固定部３５Ｃを長脚３の各側面４７に小径の長脚用取付ねじ４４により取り付けている。
このように、テーブル１の長脚用折り畳み金具４は、天板用部材５が天板用取付部８に加えて天板用下面固定部３４Ａによっても天板２に取り付けられるので、天板２への取付面積を天板用取付部８の長さ方向に増やして固定強度を増大させることができ、また、長脚用部材６が長脚用取付部１４に加えて長脚用端面固定部３５Ａ、長脚用他側面固定部３５Ｂ及び一対の長脚用各側面固定部３５Ｃによっても長脚３に取り付けられるので、長脚３への取付面積を長脚用取付部１４の取付面に加えて異なる方向の長脚用端面固定部３５Ａの取付面、平行する長脚用他側面固定部３５Ｂの取付面及び平行する一対の長脚用各側面固定部３５Ｃの各取付面だけ増やして固定強度を増大させることができる。
このため、このテーブル１の長脚用折り畳み金具４は、天板２や長脚３に実施例４よりも堅固に取り付けることができ、長脚３にガタツキを生じること無く安定した起立・折り畳み動作を実現することができる。
【産業上の利用可能性】
【００２７】
この発明は、テーブルの長脚用折り畳み金具を天板や長脚に堅固に取り付けることができ、長脚にガタツキを生じること無く安定した起立・折り畳み動作を実現できるものであり、テーブルにかぎらず、板状部材に柱状部材を折り畳み可能に取り付ける構造に適用することができる。
【符号の説明】
【００２８】
１  テーブル
２  天板
３  長脚
４  長脚用折り畳み金具
５  天板用部材
６  長脚用部材
７  下面
８  天板用取付部
９  天板用側部
１３  一側面
１４  長脚用取付部
１５  長脚用側部
１９  支持軸
２０  ロック機構
２１  ロック軸
２２  ロックばね
２３  操作部
２６  起立係合部
２７  折り畳み係合部
３４  天板用固定部
３５  長脚用固定部
３４Ａ  天板用下面固定部
３５Ａ  長脚用端面固定部
４３  小径の天板用取付ねじ
４４  小径の長脚用取付ねじ
４５  大径の長脚用取付ボルト
【図１】
2018105426.tif 000003
【図２】
2018105426.tif 000004
【図３】
2018105426.tif 000005
【図４】
2018105426.tif 000006
【図５】
2018105426.tif 000007
【図６】
2018105426.tif 000008
【図７】
2018105426.tif 000009
【図８】
2018105426.tif 000010
【図９】
2018105426.tif 000011
【図１０】
2018105426.tif 000012
【図１１】
2018105426.tif 000013
【図１２】
2018105426.tif 000014